【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
データのリストアに関連するイベント指向の文脈的証を使用する計算機で実行されるシステムであって、
ユーザーに関連するデータファイルの所望のバージョンをリトリーブするためにバックアップデータストアと通信するトランザクションコンポーネントであって、前記バックアップデータストアが、前記データファイルの複数バージョンのバックアップを支援するものと、
文脈的イベント記述のログを取得する文脈コンポーネントと、
前記ログの少なくとも一部を出力するインターフェースコンポーネントであって、前記一部が、前記データファイルの前記所望のバージョンへの参照を含んでいて、更に、前記所望のバージョンに関連し実行されたバックアップ動作と実質上同じ時間中に起こった基本的イベントを記述している文脈的イベント記述の少なくとも１つを含んでいるものと、を含むシステム。
【請求項２】
前記ログに含まれている文脈的イベント記述それぞれが、前記データファイルがバックアップを取られた時間に近い前記ユーザーの文脈に関連するイベントそれぞれを記述していることを特徴とする請求項１記載のシステム。
【請求項３】
前記少なくとも１つの文脈的イベント記述が、前記ユーザーに関連するか若しくはユーザーによって加入されているソーシャルネットワーキングサービスフィード、又は前記ユーザーに関係するか若しくはユーザーによって使用されているカレンダーアプリケーションのうち、少なくとも１つから取得されることを特徴とする請求項１記載のシステム。
【請求項４】
前記データファイルが、第２のユーザーが書き込み特権を有する共有フォルダー又はディレクトリーにあることを特徴とする請求項１記載のシステム。
【請求項５】
前記少なくとも１つの文脈的イベント記述が、前記第２のユーザーによって加入されているソーシャルネットワーキングサービスフィード、又は前記第２のユーザーによって使用されているカレンダーアプリケーションから取得されることを特徴とする請求項４記載のシステム。
【請求項６】
更に、前記インターフェースコンポーネントへのパラメーター入力に基づいて前記文脈的イベント記述のログをフィルター処理する検索コンポーネントを含み、前記インターフェースコンポーネントが、前記ログのフィルター処理された一部を出力することを特徴とする請求項１記載のシステム。
【請求項７】
前記パラメーターが、
ユーザーＩＤ又はグループＩＤであって、前記検索コンポーネントが、前記ユーザーＩＤ又は前記グループＩＤに関連する文脈的イベント記述と、前記ユーザーＩＤ又は前記グループＩＤに関連する実質上同時にログとして記録された文脈的イベント記述と、だけを前記フィルター処理された一部に含んでいるもの、
文脈的イベント情報源であって、前記検索コンポーネントが、前記フィルター処理された一部に、その情報源からの文脈的イベント記述と、前記情報源からのそれらと実質上同時にログとして記録された文脈的イベント記述と、だけを含んでいるもの、又は
キーワードであって、前記検索コンポーネントが、前記フィルター処理されたー部に、前記キーワードを含んでいる文脈的イベント記述と、前記キーワードを含んでいるものと実質上同時にログとして記録された文脈的イベント記述と、だけを含んでいるもの、のうち少なくとも１つであることを特徴とする請求項６記載のシステム。
【請求項８】
前記トランザクションコンポーネントが、前記インターフェースコンポーネントを介して前記参照を選択した時、前記データファイルを前記データファイルの前記所望のバージョンと置き換えることを特徴とする請求項１記載のシステム。
【請求項９】
前記トランザクションコンポーネントが、前記所望のバージョンをリストアする前に前記データファイルのバックアップを支援することを特徴とする請求項８記載のシステム。
【請求項１０】
データのアーカイバルに関連するイベント指向の文脈的証を使用する計算機で実行されるシステムであって、
バックアップ用に指定されているユーザーに関連するデータを識別するスケジューリングコンポーネントと、
前記ユーザーに関連する文脈的イベント記述をログ登録するイベントコンポーネントと、
識別されたデータの最新バージョンをバックアップデータストアにアーカイブとして保管し、更に、ほぼ同じ期間中に起こった文脈的イベント記述のログ又はその一部を前記最新バージョンのアーカイバルとして保管するバックアップコンポーネントと、を含むシステム。
【請求項１１】
前記イベントコンポーネントが、複数のソーシャルネットワーキングサービスニュースフィードの少なくとも１つ、又は１つ以上のスケジューリングアプリケーション若しくは日程アプリケーションから文脈的イベント記述を集めることを特徴とする請求項１０記載のシステム。
【請求項１２】
前記ログが、前記最新バージョンへの参照を含む文脈的イベント記述を含むことを特徴とする請求項１０記載のシステム。
【請求項１３】
データのアーカイバル又はリストアに関連するイベント指向の文脈的証を使用するための計算機で実行される方法であって、
ユーザーに関連するデータファイルの複数バージョンをアーカイブとして保管するバックアップデータストアとインターフェースするステップと、
文脈的イベント記述集合を受信するステップと、
前記文脈的イベント記述集合の少なくとも部分集合を出力するために、ディスプレイ上に提示されるインターフェースを使用するステップと、
前記データファイルの所望のバージョンへの参照リンクを前記部分集合に含めるステップと、
前記所望のバージョンのバックアップとほぼ同時の時間範囲内に起こった基本的イベントを記述している文脈的イベント記述の１つ以上を前記部分集合に含めるステップと、を含む方法。
【請求項１４】
更に、
前記ユーザーに関連するソーシャルネットワーキングサービスフィードから前記部分集合に含まれている文脈的イベント記述の少なくとも１つを受信するステップ、
前記ユーザーに関連するカレンダーアプリケーション、スケジューリングアプリケーション又は日程アプリケーションから前記部分集合に含まれている文脈的イベント記述の少なくとも１つを受信するステップ、
前記データファイルに関連するデータ特権が共有されている第２のユーザーに関連するソーシャルネットワーキングサービスフィードから前記部分集合に含まれている文脈的イベント記述の少なくとも１つを受信するステップ、
前記データファイルに関するデータ特権が共有されている第２のユーザーと関連するカレンダーアプリケーション、スケジューリングアプリケーション、又は日程アプリケーションから前記部分集合に含まれている文脈的イベント記述の少なくとも１つを受信するステップ、
入力に基づく文脈的イベント記述の前記部分集合の提示を更新するフィルター処理機能を前記インターフェースに含めるステップ、
前記入力がそれぞれ、関連するユーザーＩＤ、グループＩＤ、又は情報源ＩＤであるとき、特定のユーザー、特定のユーザーグループ、又は特定の情報源だけに関係する文脈的イベント記述で前記部分集合の前記提示を更新するステップ、
前記入力が前記キーワードであるとき、特定のキーワードを含む文脈的イベント記述で前記部分集合の前記提示を更新するステップ、又は
前記参照リンクの選択時、前記データファイルを前記データファイルの前記所望のバージョンと置き換えるステップのうち、少なくとも１つの動作を含む請求項１３記載の方法。
【請求項１５】
更に、
バックアップ用に予定が立てられた前記データファイルを含む前記ユーザーに関連するデータを識別するステップ、
前記文脈的イベント記述集合を構成するため、文脈的イベント記述を複数の情報源から集めるステップであって、前記集合要素それぞれが、前記データファイルがバックアップされた時間近辺における前記ユーザーの文脈に関連する各イベントの記述を含むもの、
識別されたデータの最新バージョンを前記バックアップデータストアへバックアップするステップ、
前記最新バージョンへの参照を前記集合に含めるステップ、又は
前記文脈的イベント記述集合を前記バックアップデータストアへアーカイブとして保管するステップのうち、少なくとも１つの動作を含む請求項１３記載の方法。
【手続補正２】
【補正対象書類名】明細書
【補正対象項目名】００３１
【補正方法】変更
【補正の内容】
【００３１】
[0039]インターフェースコンポーネント（１２２）へ入力されるパラメーター（３０８）は、ＩＤの選択（３１０）に基づき得る。ＩＤの選択（３１０）の例示を介したドロップダウンメニュー形式で本明細書に表されているものが、ユーザーＩＤ（例えば、特定のユーザー（１１４）、（２１２）に関する名前又はユーザー名）と関連し得る。同様にＩＤの選択（３１０）が、チーム、組織、別のグループ、又はグループ若しくは分類の一部である複数のユーザー（１１４）、（２１２）を含み得るグループＩＤと関連し得る。前者の場合、検索コンポーネント（３０４）は、入力ユーザーＩＤと関連したものを除いた、フィルター処理された部分（３０６）から文脈ログ（１２０）に含まれている文脈的イベント記述（２０２）のすべてを省略し得る。同様にグループＩＤの場合、検索コンポーネント（３０４）は、選択されたグループのメンバーに関連する文脈的イベント記述（２０２）だけを含み得る。どちらの場合もインターフェースコンポーネント（１２２）が、フィルター処理されたログ（３０６）を提示し得る。
【手続補正３】
【補正対象書類名】明細書
【補正対象項目名】００７０
【補正方法】変更
【補正の内容】
【００７０】
[0078]システムバス（１００８）は、更に、（メモリーコントローラーの有無に関わらず）メモリーバス、周辺機器用バス、及び様々な商用利用可能な任意のバスアーキテクチャを使用してローカルバスと相互接続し得るいくつかのタイプの任意のバス構造であり得る。システムメモリー（１００６）は、読み出し専用メモリー（ＲＯＭ）（１０１２）及びランダムアクセスメモリー（ＲＡＭ）（１０１０）を含む。基本入力／出力システム（ＢＩＯＳ）は、ＲＯＭ、ＥＰＲＯＭ、ＥＥＰＲＯＭのような不揮発性メモリー（１０１２）にストアされ、ＢＩＯＳは、始動中などに計算機（１００２）内部のエレメント間に情報の送信支援をする基本ルーチンを含む。ＲＡＭ（１０１０）は、データをキャッシュするためのスタティックＲＡＭのような高速ＲＡＭも含み得る。
【手続補正４】
【補正対象書類名】明細書
【補正対象項目名】００７３
【補正方法】変更
【補正の内容】
【００７３】
[0081]オペレーティングシステム（１０３０）、１つ以上のアプリケーションプログラム（１０３２）、その他のプログラムモジュール（１０３４）、及びプログラムデータ（１０３６）を含む多くのプログラムモジュールが、ドライブ及びＲＡＭ（１０１０）にストアされ得る。オペレーティングシステム、アプリケーション、モジュール、及び／又はデータすべて又は一部もＲＡＭ（１０１０）にキャッシュされ得る。本請求対象が、様々な商用利用可能なオペレーティングシステム又はオペレーティングシステムの組み合わせを用いて実装され得ることを十分に理解され得よう。